(57)【要約】【課題】目の切替えが瞬時に行われ、且つ、切替え後の状態を維持できる人形の目動作装置を提供すること。【解決手段】眼孔が形成された頭部と、前記頭部に対して第１の位置と第２の位置との間で動作可能に構成され、前記第１の位置で左右の前記眼孔に露出する第１の目と、前記第２の位置で前記左右の眼孔に露出する第２の目とを支持する目担持体と、前記目担持体を付勢して当該目担持体に前記第１の位置と前記第２の位置とを選択的に取らせる目切替え機構と、外部から操作可能に構成され、前記目担持体を動作させる操作部材と、を備え、前記切替え機構は、前記目担持体が前記中間位置から偏ったときに前記第１の位置及び前記第２の位置のうちで偏った側に向けて前記目担持体を付勢することを特徴とする。【選択図】図５
2020092792.tif 000002
【特許請求の範囲】
【請求項１】
眼孔が形成された頭部と、
前記頭部の内部に設置され、前記頭部に対して第１の位置と第２の位置との間で動作可能に構成され、前記第１の位置で左右の前記眼孔に露出する第１の目と、前記第２の位置で前記左右の眼孔に露出する第２の目とを支持する目担持体と、
前記頭部の内部に設置され、前記目担持体を付勢して当該目担持体に前記第１の位置と前記第２の位置とを選択的に取らせる目切替え機構と、
外部から操作可能に構成され、前記目担持体を動作させる操作部材と、
を備え、
前記操作部材は、前記第１の位置及び前記第２の位置の一方の位置から他方の位置に移行させるにあたり少なくとも前記第１の位置と前記第２の位置との中間位置を超えるまで前記目担持体を動作させるように構成され、
前記切替え機構は、前記目担持体が前記中間位置から偏ったときに前記第１の位置及び前記第２の位置のうちで偏った側に向けて前記目担持体を付勢することを特徴とする人形の目動作装置。
【請求項２】
前記頭部には左右に眼孔が形成され、
前記目担持体には、前記第１の目及び前記第２の目として左右一対の目がそれぞれ支持されていることを特徴とする請求項１に記載の人形の目動作装置。
【請求項３】
前記操作部材は前記頭部から構成され、前記頭部は上下方向に延在する軸を中心に回動可能に構成されていることを特徴とする請求項１又は請求項２に記載の人形の目動作装置。
【請求項４】
前記目切替え機構はトーションばねを備え、前記トーションばねの付勢力によって前記目担持体を付勢することを特徴とする請求項１から請求項３のいずれか一項に記載の人形の目動作装置。
【請求項５】
前記切替え機構は磁石を備え、前記磁石の磁力によって前記目担持体を付勢することを特徴とする請求項１から請求項３のいずれか一項に記載の人形の目動作装置。 
【発明の詳細な説明】
【技術分野】
【０００１】
本発明は、人形における目動作装置に関する。
【背景技術】
【０００２】
従来、人形における目動作装置として、初期の開いた目の状態から１回の紐引き操作で、閉じた目の状態と開いた目の状態とを眼孔に表示させるものが知られている（例えば、特許文献１参照）。この目動作装置によれば、開いた目の組と閉じた目の組とが描画された眼板（目担持体）を紐引き操作とスプリングの付勢力とによって左右に動かすことで、閉じた目の状態と開いた目の状態とを実現させている。
【先行技術文献】
【特許文献】
【０００３】
【特許文献１】実開昭６３−１９５８９４号公報
【発明の概要】
【発明が解決しようとする課題】
【０００４】
しかしながら、上記特許文献１に開示の技術では、紐引き操作によってスプリングの付勢力に抗して眼板を左右の一方向に動作させて閉じた目を表示させ、また、スプリングの付勢力によって眼板を左右の他方向に動作させて開いた目を眼孔に表示させるように構成されているため、紐引き操作をしたままの状態にしておかないと、スプリングの付勢力によって初期の開いた目の状態に戻ってしまい、閉じた目の状態を維持することができない。
【０００５】
また、上記特許文献１に開示の技術では、他の例として、紐の代わりに棒状部材を用いて、棒状部材の引き操作により眼板を左右の一方向に動作させ、棒状部材の押し操作により眼板を左右の他方向に動作させる目動作装置が開示されている。この目動作装置では眼板を動作させるスプリングを用いていない。したがって、この目動作装置によれば、開いた目の状態と閉じた目の状態とを維持することができる。しかし、この目動作装置では、棒状部材の操作が遅いと、目の切り替わりも緩慢となるため、開いた目の状態及び閉じた目の状態の一方が眼孔からフェードアウトし中間の目の無い余白部分を経て開いた目及び閉じた目の他方が眼孔からフェードインする形となり、目の切替えが不自然なものとなる。また、棒状部材の操作を中途半端に行った場合には、眼孔に中間の余白部分が表示されたままとなってしまう。
本発明は、かかる問題点に鑑みなされたもので、目の切替えが瞬時に行われ、且つ、切替え後の状態を維持できる人形の目動作装置を提供することを目的とする。
【課題を解決するための手段】
【０００６】
第１の手段は、
眼孔が形成された頭部と、
前記頭部の内部に設置され、前記頭部に対して第１の位置と第２の位置との間で動作可能に構成され、前記第１の位置で左右の前記眼孔に露出する第１の目と、前記第２の位置で前記左右の眼孔に露出する第２の目とを支持する目担持体と、
前記頭部の内部に設置され、前記目担持体を付勢して当該目担持体に前記第１の位置と前記第２の位置とを選択的に取らせる目切替え機構と、
外部から操作可能に構成され、前記目担持体を動作させる操作部材と、
を備え、
前記操作部材は、前記第１の位置及び前記第２の位置の一方の位置から他方の位置に移行させるにあたり少なくとも前記第１の位置と前記第２の位置との中間位置を超えるまで前記目担持体を動作させるように構成され、
前記切替え機構は、前記目担持体が前記中間位置から偏ったときに前記第１の位置及び前記第２の位置のうちで偏った側に向けて前記目担持体を付勢することを特徴とする。
また、第２の手段は、第１の手段において、前記頭部には左右に眼孔が形成され、前記目担持体には、前記第１の目及び前記第２の目として左右一対の目がそれぞれ支持されていることを特徴とする。
【０００７】
第３の手段は、第１の手段又は第２の手段において、前記操作部材は前記頭部から構成され、前記頭部は上下方向に延在する軸を中心に回動可能に構成されていること、を特徴とする。
【０００８】
第４の手段は、第１の手段から第３の手段のいずれか一の手段において、前記目切替え機構はトーションばねを備え、前記トーションばねの付勢力によって前記目担持体を付勢することを特徴とする。
【０００９】
第５の手段は、第１の手段から第３の手段のいずれか一の手段において、前記切替え機構は磁石を備え、前記磁石の磁力によって前記目担持体を付勢することを特徴とする。
【発明の効果】
【００１０】
第１の手段及び第２の手段によれば、目担持体が第１の位置及び第２の位置の一方の位置にあるとき、操作部材の操作により目担持体を第１の位置及び第２の位置の他方の位置に向けて動作させると、中間位置を超えた所で目担持体が他方の位置に向けて付勢され、瞬時に他方の位置を取る。そして、その後、操作部材が操作されない限り、目担持体はその他方の位置に維持される。
【００１１】
第３の手段によれば、頭部を回動させると、切替え機構の付勢によって瞬時に目が切り替わるとともに、その切替え後の状態が維持される。
【００１２】
第４の手段によれば、トーションばねの付勢力によって瞬時に目が切り替わるとともに、その切替え後の状態が維持される。
【００１３】
第５の手段によれば、磁石の磁力によって瞬時に目が切り替わるとともに、その切替え後の状態が維持される。
【図面の簡単な説明】
【００１４】
【図１】第１実施形態の人形の頭部を示した正面図である。
【図２】頭部の外郭を分割して示した斜視図である。
【図３】頭部の前パーツを取り外した状態を示した斜視図である。
【図４】頭部の目担持体を示した斜視図である。
【図５】頭部の目担持体を下方から見た状態を示した斜視図である。
【図６】頭部と胴部との連結構造を示した断面図である。
【図７】切替え機構の動作を示した底面図である。
【図８】第２実施形態の切替え機構を示した底面図である。
【発明を実施するための形態】
【００１５】
以下、本発明の実施の形態について添付図面を参照して説明する。
【００１６】
《第１実施形態》
図１は、第１実施形態の目動作装置が適用された人形の頭部を示している。
この目動作装置は、仮想生命体等の人形の頭部１を回動操作すると、眼孔１０ａ，１０ｂから露出する目の表情が切り替わるように構成されている。
【００１７】
（頭部１について）
頭部１は人形の頭部を模したものであり、ここでは、後述の目２０ａ，２０ｂ，２１ａ，２１ｂを動作させるための操作部材として機能している。
図２は、頭部１の外郭を示した斜視図である。
頭部１の外郭は、顔及び前頭部を構成し左右に眼孔１０ａ，１０ｂが形成された前パーツ１０と、後頭部を構成する後ろパーツ１１とから構成されている。なお、本明細書において「左右」及び「前後」とは頭部１から見た方向を言うものとする。
前パーツ１０の内面には、後方に向けて延びるボス１０ｃが上下に２つずつ設けられている。ただし、下側の２つのボス１０ｃは図示されていない。各ボス１０ｃには雌ねじ（図示せず）が形成されている。一方、後ろパーツ１１には、上記ボス１０ｃに対応して、前方に向けて延びるボス１１ａが上下に２つずつ設けられている。ただし、上側の２つのボス１１ａは図示されていない。各ボス１１ａには深い座繰り穴（図示せず）が形成され、先端部にはボス１０ｃの先端部が嵌合される。
そして、前パーツ１０と後ろパーツ１１とは、座繰り穴を通した雄ねじ（図示せず）をボス１０ｃの雌ねじに螺合させることによって結合されている。
図３は、前パーツ１０を取り外した状態を示した頭部の斜視図である。頭部１の下部には、上下方向に軸心を有する軸体５が取り付けられ、頭部１は軸体５の軸心を中心に所定角度範囲で回動可能となっている。
【００１８】
（目担持体２について）
図４は、目担持体２を上方から見た状態を示した斜視図、図５は、目担持体２を下方から見た状態を示した斜視図である。
目担持体２は目２０ａ，２０ｂ，２１ａ，２１ｂを支持するためのものであり、目担持体２には、目２０ａ，２０ｂ，２１ａ，２１ｂの絵柄が直接描かれるか、当該絵柄が表示されたシールが貼られている。なお、目担持体２には、立体的な目が取り付けられていてもよい。なお、実施形態では、目２０ａ，２０ｂ，２１ａ，２１ｂの絵柄が直接描かれている。
目担持体２は平面視で中心角１２０度程度の扇状に構成されている。目担持体２は、立設された壁によって縁取りされている。具体的には、目担持体２の直線状の縁部分には比較的背丈の低い壁２２ａが立設され、孤状の縁部分には比較的背丈の高い壁２２ｂが立設されている。
【００１９】
壁２２ｂの外面には目２０ａ，２０ｂ，２１ａ，２１ｂが表示されている。目２０ａ，２０ｂ，２１ａ，２１ｂは、目２０ａ及び目２１ａの組と、目２０ｂ及び目２１ｂの組とに区分され、目担持体２の動作に応じて、頭部１の左右の眼孔１０ａ，１０ｂからは目２０ａ及び目２１ａの組と、目２０ｂ及び目２１ｂの組とが選択的に露出する。実施形態の目動作装置１００においては、頭部１を回動操作することによって、目２０ａ及び目２１ａの組と、目２０ｂ及び目２１ｂの組とが左右の眼孔１０ａ、１０ｂから選択的に露出される。
ここで、左の目２０ａ及び目２０ｂは互いに形態が相違している。また、右の目２１ａ及び目２１ｂも互いに形態が相違している。具体的には、目の角膜の色が相違したり、目に占める角膜の位置、大きさ又は範囲等が相違したりしている。目２０ａ，２０ｂ，２１ａ，２１ｂのうち３つ以下の目が閉じているものであってもよい。なお、実施形態では、目に占める角膜の位置が相違している。
【００２０】
また、目担持体２は、扇の要となる部分に軸２５が上下に挿通されている。軸２５は、下端部が後述のゴム５１に支持され、上端部が、後ろパーツ１１の固定部に形成された凹部（図示せず）に押さえ板２６によって保持されている。軸２５の軸心は上記軸体５の軸心と一致している。
目担持体２は、この軸２５を中心に回動可能となっている。そして、目担持体２は、頭部１の内面に形成された左右のストッパ１３ａ，１３ｂに当接する角度範囲で回動可能となっている。ちなみに、左右のストッパ１３ａ，１３ｂは軸２５の軸心を中心として１５０度程度の角度をなして形成されている。
【００２１】
（軸体５について）
図５に示すように、軸体５は、筒状の軸５０と、軸５０に内嵌された筒状のゴム５１とから構成され、ゴム５１は、図６に示すように、軸５１にきつく嵌合している。その結果、軸５０とゴム５１とは一体的に動作する。ゴム５１内には、中心に下方に開口する穴５１ａが形成され、胴部７から延びる軸７０先に付設された球状部７０ａがきつく嵌合している。ゴム５１と球状部７０ａとは摺接抵抗が大きく、通常は、ゴム５１は球状部７０ａに対して回動しない。
軸体５の外周には左右に、前後の軸５０の半部同士を結合させるねじ締結部５２ａ，５２ｂが張り出して設けられている。このねじ締結部５２ａ，５２ｂの横には所定間隔をおいて上記ボス１１ａが位置している。このボス１１ａは、目が切り替わった直後にねじ締結部５２に当たり、軸体５は球状部７０ａの摺接抵抗に抗して頭部１と一体的に回転する。このようにすれば、目が切り替った後に同方向に頭部１を回し続けても、目の切替え後の状態が維持される。
【００２２】
（目切替え機構６）
軸５０には半径方向外方に延びるバー５３が設けられている。このバー５３の先端部と上記目担持体２との間にはトーションばね６０が掛けられている。このトーションばね６０は、目担持体２及びバー５３とともに目切替え機構６を構成している。この目切替え機構６は、目担持体２が中間位置から偏ったときに第１の位置及び第２の位置のうちで偏った側に向けて目担持体２を付勢する。
【００２３】
(目動作装置１００の動作)
この目動作装置１００は、次のように動作する。
図７(Ａ)は、頭部１が正面を向いたときの目の状態を示した底面図、図７(Ｂ)は、頭部１が右斜め前方を向いたときの目の状態を示した底面図である。
今、図７（Ａ）を示すように、最初の状態で頭部１が正面を向き、目担持体２はストッパ１３ａに当接した第１の位置にあり、左右の眼孔１０ａ、１０ｂには目２０ｂ，２１ｂの組が露出しているものとする。
この状態から、頭部１を右に向けると、ストッパ１３ａに押されて目担持体２も平面視で反時計方向に回転を始める。この時には左右の眼孔１０ａ，１０ｂに目２０ｂ，２１ｂの組が露出したままである。そして、目担持体２が第１の位置と第２の位置との中間位置を超えると、トーションばね６０の付勢力によって目担持体２だけが急速に同方向に回動され、目担持体２がストッパ１３ｂに当接する第２の位置を取る。これにより、左右の眼孔１０ａ，１０ｂに露出していた目２０ｂ，２１ｂの組が目２０ａ，２１ａの組に瞬時に切り替わる。引き続き、頭部１を同方向に回動させると、頭部1のボス１１ａがねじ締結部５２に当たり、軸体５も球状部７０ａの摺接抵抗に抗して頭部１と一体的に回動する。この時には左右の眼孔１０ａ，１０ｂに目２０ａ，２１ａの組が露出したままである。
一方、目担持体２が第２の位置にある状態から第１の位置への移行は、頭部１を平面視で時計方向に回すことによってなされる。そのときの動作は、回動の方向が逆になるだけでほぼ同じなので、その説明を省略する。
【００２４】
(実施形態の作用及び効果)
この動作機構１００によれば、目担持体２が第１の位置及び第２の位置の一方の位置にあるとき、頭部１の回動操作により目担持体２を第１の位置及び第２の位置の他方の位置に向けてトーションばね６０の付勢力に抗して動作させると、中間位置を超えた所で目担持体２がトーションばね６０の付勢力で他方の位置に向けて付勢され、瞬時に他方の位置を取る。そして、その後、頭部１が反対方向に回動操作されない限り、トーションばね６０の付勢力で目担持体２はその他方の位置に維持される。
【００２５】
《第２実施形態》
第２実施形態の目動作装置２００が、第１実施形態と異なる点は、図８に示すように、第１実施形態のトーションばね６０の代わりに、バー５３に第１の磁石８０を、目担持体２に、第１の磁石８０に対向する部分が同磁極の第２の磁石８１を設けた点である。その他の点については、第１の実施形態と同様であるので、同様の構成部品には同一符号を付し、その説明は省略する。
この実施形態の目動作装置２００では、目担持体２が第１の位置及び第２の位置の一方の位置にあるとき、頭部１の操作により目担持体２を第１の位置及び第２の位置の他方の位置に向けて第１の磁石８０及び第２の磁石８１間に働く斥力に抗して動作させると、中間位置を超えた所で目担持体２が第１の磁石８０及び第２の磁石８１間に働く斥力で他方の位置に向けて付勢され、瞬時に他方の位置を取る。そして、その後、頭部１が反対方向に回動操作されない限り、第１の磁石８０及び第２の磁石８１間に働く斥力で目担持体２はその他方の位置に維持される。
なお、ここでは第１の磁石８０及び第２の磁石８１の斥力を利用しているが、吸引力を利用することもできる。この構造は、例えば、バー５３に第１の磁石を設け、目担持体２のバー５３を挟んだ部分に、前記第１の磁石に対向する部分が異磁極となる２つの第２の磁石を設けることで実現できる。
【００２６】
《発明の変形例》
以上、本発明の実施形態について説明したが、本発明は、かかる実施形態に限定されず、その要旨を逸脱しない範囲で種々変形可能であることは言うまでもない。
例えば、上記実施形態では、軸を中心に目担持体２が回動するように構成されているのが、目担持体２が左右に往復直線運動するものであってもよいし、目担持体２が上下動するもの、或いは、水平軸を中心に回動するものであってもよい。
【００２７】
また、上記実施形態では、両目を同時に切り替えることとしたが、片目だけを切り替え、他の目を切り替えないものとすることもできる。
【符号の説明】
【００２８】
１     頭部
２     目担持体
５     軸体
６     目切替え機構
７     胴部
１０ａ，１０ｂ       眼孔
１３ａ，１３ｂ       ストッパ
２０ａ，２０ｂ，２１ａ，２１ｂ     目
２５   軸
１００ 目動作装置
２００ 目動作装置
【図１】
2020092792.tif 000003
【図２】
2020092792.tif 000004
【図３】
2020092792.tif 000005
【図４】
2020092792.tif 000006
【図５】
2020092792.tif 000007
【図６】
2020092792.tif 000008
【図７】
2020092792.tif 000009
【図８】
2020092792.tif 000010